(57)【要約】【課題】  上部壁と尿をカートリッジ中に尿を受け入れそして収容するための開口部を有する尿カートリッジにおいて、尿が該カートリッジの上部壁開口部へ流れ込むようにするスペーサーを備えることにより、尿の凝結を防止する構造を提供する。【解決手段】  カートリッジ１００の上部壁１１０の頂点にあるダイバータ１７０、２７０は、尿が、カートリッジ内の開口部やシーラント１０５に直接に接することを回避する。ダイバータは、スタンドオフ１８２、２８２により、上部壁から離され、尿の流れ路を形成する。フロート２７４が、ダイバータ中に設けられ、カートリッジ上部壁上での凝結尿の存在の可視信号を供する。リテイナー２００中に保持された前処理化学的成分のタブレット２１０が、衛生化剤及び又は洗剤手段を供する。後処理の化学的成分のタブレット２２４ａ又は２２４ｂは、カートリッジの出口に設置でき、腐食や他の害からドレインパイプを守るものである。【選択図】  図１
2007518005.tif 000002
【特許請求の範囲】
【請求項１】
上部壁と尿をカートリッジ中に尿を受け入れそして収容するための開口部を有する尿カートリッジにおいて、カートリッジの上部壁の設置可能なシェル；及び、該上部壁から該シェルを離し、尿が該カートリッジの上部壁開口部へ流れ込むようにするスペーサーを備えることを特徴とする尿をカートリッジに直接接することのないようにするためのダイバータ。
【請求項２】
更に、該シェルは、カートリッジの上部壁から離れた周辺部により決められた本質的に流動妨害の上部表面を備え、それにより、本質的に流動妨害の上部表面は、尿が該周辺部に向かうように形成され、それにより、上部開口部中に受け入れるためのカートリッジ上部壁上に形成されることを特徴とする請求項１に記載のダイバータ。
【請求項３】
更に、該カートリッジ上部壁から離れて動くフロートを有し、該カートリッジ上部壁上に回収された尿上を浮び動くものであり、更に、該フロートに備わる指示器を有す、そして、そのような上部壁回収の尿の存在を示すために置かれるものであることを特徴とする請求項２に記載のダイバータ。
【請求項４】
更に、該本質的に流動妨害の上部表面にはビュワー（監視器）を備わり、該指示器として、該フロートとともに機能するものであることを特徴とする請求項３に記載のダイバータ。
【請求項５】
更に、該本質的に流動妨害のシェルの上部表面は、そこに開口部を備え、更に、該シェルの本質的な流動妨害の上部表面中に保護キャップを有し、そこの開口部を閉め、そこの流動をなくする、そして該保護キャップは更に、監視窓を有する；更に、カートリッジ上部壁から離れるように可動し、カートリッジ上部壁に回収された尿の上に浮遊できるフロートを有し、そのフロートは、保護キャップ監視窓を通して見ることができる可視表面を有し、フロートがカートリッジ上部壁上に回収された尿の上に浮遊できるようになり、その保護キャップの監視窓に向けて移動するようになり、そのために、そのような上部回収された尿の存在を指示するようになることを特徴とする請求項２に記載のダイバータ。
【請求項６】
更に、洗浄剤及び衛生化薬剤としての機能を供することができる薬剤として、処理されるタブレットを有することを特徴とする請求項５に記載のダイバータ。
【請求項７】
尿を受け入れるための入口カートリッジ；
尿を、該入口区域から外側ドレインに移動させるための終点を有する出口区域；
腐食及びドレインへの他の害から前もって失速することができる後処理化学薬剤；及び該出口での後処理化学薬剤を保持するための薬剤保持器を有することを特徴とする尿カートリッジ。
【請求項８】
更に、該薬剤保持器は、該排出区域終点を決める導管を有する排出部分及び該後処理の薬剤を含む収容部を有することを特徴とする請求項７に記載の尿カートリッジ。
【請求項９】
更に、該放出部分は、更に、該排出区域の第１の端部で閉鎖され、尿が該導管から該後処理化学薬剤と接するように流れることができるための終点に隣接した第２の端部で開かれた、少なくとも１つの室を有することを特徴とする請求項８に記載の尿カートリッジ。
【請求項１０】
更に、尿が該導管中を該区域の第２端部に向かって流れ、該後処理化学薬剤と接するための、流れデイレクターを有することを特徴とする請求項９に記載の尿カートリッジ。
【発明の詳細な説明】
【技術分野】
【０００１】
本発明は、ダイバータ（分流加減器）、液レベル指示器及び液調整器に関し、特に、水なし小便器中のような小便器中で利用される改良された装置及び方法に関する。
【背景技術】
【０００２】
米国特許第６０５３１９７号及び米国特許出願第０９／８５５７３５号（２００１年５月１４日出願）や米国特許出願第１０／１４３１０３号（２００２年５月７日出願）のような水なしの小便器において、尿は、カートリッジの開口部を通してある強度で方向づけられ、シーラントに向けられた十分な力で押され、その封入機能に悪影響を与え、そして、また、乾燥した尿はカートリッジ内に固形物を形成できるので、液の尿は、その上部表面に凝結でき、そして、流れに妨害を与え得、衛生上の問題を引き起こす。更に、上記の米国特許出願に説明されるような機構により、そのような凝結された尿は、腐食を起こし、また、そこで説明されるように、液の流れの機械的なそして電気的な操作を妨害することとなる。
【特許文献１】米国特許第６０５３１９７号
【０００３】
他の目的や利点や本発明の完全な理解は、次の具体例や添付図の説明から分かる。
【発明の開示】
【発明が解決しようとする課題】
【０００４】
本発明の目的は、上部壁と尿をカートリッジ中に尿を受け入れそして収容するための開口部を有する尿カートリッジにおいて、尿がカートリッジに直接接することのないような構造を提供することである。
【０００５】
本発明の他の目的は、上部壁と尿をカートリッジ中に尿を受け入れそして収容するための開口部を有する尿カートリッジにおいて、尿が該カートリッジの上部壁開口部へ流れ込むようにするスペーサーを備えることにより、尿の凝結を防止する構造を提供することである。
【０００６】
本発明のこのような目的などは、当業者により、本発明の開示が読まれると明白である。
【０００７】
本発明は、上記のような問題点等を克服する新規のダイバータを意図する。
【課題を解決するための手段】
【０００８】
本発明によると、次のような発明である。
(１) 上部壁と尿をカートリッジ中に尿を受け入れそして収容するための開口部を有する尿カートリッジにおいて、カートリッジの上部壁の設置可能なシェル；及び、該上部壁から該シェルを離し、尿が該カートリッジの上部壁開口部へ流れ込むようにするスペーサーを備えることを特徴とする尿をカートリッジに直接接することのないようにするためのダイバータを提供する。
(２)更に、該シェルは、カートリッジの上部壁から離れた周辺部により決められた本質的に流動妨害の上部表面を備え、それにより、本質的に流動妨害の上部表面は、尿が該周辺部に向かうように形成され、それにより、上部開口部中に受け入れるためのカートリッジ上部壁上に形成される。
(３)また、更に、カートリッジ上部壁から離れて動くフロートを有し、該カートリッジ上部壁上に回収された尿上を浮び動くものであり、更に、該フロートに備わる指示器を有す、そして、そのような上部壁回収の尿の存在を示すために置かれるものである。
(４)更に、該本質的に流動妨害の上部表面にはビュワー（監視器）を備わり、該指示器として、該フロートとともに機能するものである。
【０００９】
(５)更に、該本質的に流動妨害のシェルの上部表面は、そこに開口部を備え、更に、該シェルの本質的な流動妨害の上部表面中に保護キャップを有し、そこの開口部を閉め、そこの流動をなくする、そして該保護キャップは更に、監視窓を有する；更に、カートリッジ上部壁から離れるように可動し、カートリッジ上部壁に回収された尿の上に浮遊できるフロートを有し、そのフロートは、保護キャップ監視窓を通して見ることができる可視表面を有し、フロートがカートリッジ上部壁上に回収された尿の上に浮遊できるようになり、その保護キャップの監視窓に向けて移動するようになり、そのために、そのような上部回収された尿の存在を指示するようになる。
(６)それは、更に、洗浄剤及び衛生化薬剤としての機能を供することができる薬剤として、処理されるタブレットを有する。
(７)また、尿を受け入れるための入口カートリッジ；
尿を、該入口区域から外側ドレインに移動させるための終点を有する出口区域；
腐食及びドレインへの他の害から前もって失速することができる後処理化学薬剤；及び該出口での後処理化学薬剤を保持するための薬剤保持器を有することを特徴とする尿カートリッジを提供する。
【００１０】
(８) 該薬剤保持器は、該排出区域終点を決める導管を有する排出部分及び該後処理の薬剤を含む収容部を有するものである。
（９）更に、該放出部分は、更に、該排出区域の第１の端部で閉鎖され、尿が該導管から該後処理化学薬剤と接するように流れることができるための終点に隣接した第２の端部で開かれた、少なくとも１つの室を有する。
（１０）更に、尿が該導管中を該区域の第２端部に向かって流れ、該後処理化学薬剤と接するための、流れデイレクターを有する。
【発明の効果】
【００１１】
これら及び他の問題は、本発明により解決され、克服され、それは、ダイバータをカートリッジの上部壁の頂面上に設置し、そこに開口部の上に設置することにより、尿が開口部に直接に接することを回避できる。ダイバータは、上部壁から離して、尿の流れを作る。フロートのような指示器が、ダイバータ中に設けられ、カートリッジ上部壁の上に凝結した尿の存在の可視信号を与える。更に、前処理の化学的な成分のタブレット或いは物質が、ダイバータ中に包含され、衛生化手段或いは清浄化手段を供する。更に、１以上の後処理化学的成分のタブレット或いはペレットが、カートリッジの出口に置かれ、ドレインパイプを、腐食及び他の害から守ることができる。 
【００１２】
数種の利点が、このような配置により得られた。カートリッジを少ししか配置しないことは、可能である。役立つカートリッジに対する必要性は最小にされ、。利得性が増大された。
【発明を実施するための最良の形態】
【００１３】
図１―１９を参照すると、尿挿入物９８は、ある時は、Ａｏｉｌシーラント−保持ドレイン臭トラップとされるカートリッジ或いはカートリッジアッセンブリ１００を有する。カートリッジアッセンブリ１００は、尿或いは他の流体廃物のための流れトラップの役目をし、頂面部分１０２と底面部分１０４を有する。尿を有する流体のような排水１０３及び排水上を浮遊する油性液臭気シーラント１０５は、カートリッジ内に含有される。ダイバータ２７０（図３４―４６，ダイバータ１７０（図２０−２７Ｂ）のようなダイバータの他の代替具体例は、頂面部分１０２に保持できる。
【００１４】
頂面部分１０２は、円筒形壁１０６により決められた円筒形を有し、それは、その低部は開口部で終わり、その高部は頂面壁で終わる。頂面壁は、外側端から平坦部まで下がったスロープであり、受け入れ開口部１１４が配置される平坦名水平な中心部がある。図６に示されるように、開口部１１４は、３つのアーク状のスロット１１４ａ、１１４ｂ、１１４ｃのトリパタイト配置である。孔１１５は、中心部分１１２内に配置される。図２０−４６に関して説明されるように、スロット１１４ａ、１１４ｂ、１１４ｃと孔１１５は、２つのダイバータの各々１つを保持するようにカートリッジ１００に配置される。頂面部分１０２は、更に長さの違う（図２参照）３つのキイ１１６が適当に配置され、小便器内にカートリッジ１００を方向づける。これらは、米国特許第６６４４３３９号（上記の米国特許出願第１０／６４７６０３号）により詳しく説明されている。
【００１５】
頂面壁１１０は、凹部１１７を備え、例えば、図１、５、５２−５４に示されるように、密封手段、O−リングシール２２８を受ける外側周縁部を有する。凹部１１７は、その中に尿をトラップすることを最小にできるように、十分に小さい寸法である。
【００１６】
頂点部分１０２の頂面壁１１０は、更に、カートリッジ１００の内部と通じる、空気流通の役目をする、３つの開口部１１８（例えば、図１，３、６，８，１０に示されるように）を備える。小便器を用いる場合、尿により１，２が閉鎖が生じる場合、少なくとも１つは開いている。開口部１１８は、カートリッジに道具が挿入され、小便器からカートリッジを除去することができる。詳細は、上記の仮米国特許出願第６０／５３５４６３号（米国特許出願第１１／０３２３０７号）に説明される。従って、道具係合手段として使用する目的においては、最も外側の２つの開口部が、互いに粗斜めになっていることが好適である。然しながら、このような開口部の配置は、他の道具の形状に合わせて設計できるものである。
【００１７】
図１９に最もよく示されるように、頂点部分１０２の内部は、曲げられた垂直分離器により２つの出口区域に分けられ、各々、入口区域１２２と出口区域１２４に分けられる。垂直分離器１２０は、円筒壁１０６の内部表面に及び適切な方法で頂面壁の下側に保持又は形成される。垂直分離器の底面端は、バッフル１５０に結合され配置された終端或いは終点１２１ｂで終わる。頂面及び底面の部分１０２と１０４は互いに配置され、底面部分１０４の放出区分１２８（図１１−１９）は、外側区域１２４に延びており、入口区域１２２と出口区域１２４は、同じ容積である。区域容積をできるだけ等しくするのは、重要であり、垂直分離器１２０の両側面の圧力がカートリッジの使用中、等しくあることが確保される。そのように等しい圧力の効果は、吸い出しを最小にでき、或いは、区域の間の吸い出す抵抗を最大にすることに重要であり、入口区域から出口区域へのシーラントを吸い込むことが重要である。従って、カートリッジの使用寿命は、その相互損失を回避することにより、改良される。更に、液流れ中の抵抗は最小にされる。
【００１８】
垂直分離器１２０は曲げられており、例えば、入口区域と完全に通じる必要のある受け入れ開口部１１４に中心を合わせて、曲げ或いは変形されている。更に、垂直分離器の示された曲がり具合は、入口区域と空気孔開口部１１８が通じるようにされる。しかしながら、垂直分離器は、例示のように曲げられる必要はないことを理解すべきであり、その目的を果たすいかなる形状でもよく、同様の容積の区域である限り、入口区域と開口部１１４が通じていれば、どんな形状でもよい。従って、例えば、空気孔開口部を使用しない場合、カートリッジ挿入し、道具を除くようにすることとと共同する手段として、管１４４のように、図１２、１６に例示されるように、頂面壁１４０上に管１３４とリブ１４５に向けて傾けることもある。
【００１９】
キイ１４６及びキイ路１４８は、各々、円筒形壁１０６（図２、９参照）の内部表面と上に延びる放出区分１２８（図１１−１３、１６参照）の裏側に備えられる。キイとキイ路は、方向性と頂面と底面の部分１０２と１０４の間に適当に配置され、キイ１１６の方向ずけ機構を通して、小便器内に、配置され、外側のドレイン４４０（例えば、図２と５４参照）に隣接した出口領域１３６が置かれる。
【００２０】
図２、８、１０、５２−５４に示されるように、バッフル１５０は、曲がった垂直分離器１２０に保持され、入口区域１２２から出口区域１２４への領域において、カートリッジを通した流体の流れ方向と流れを改良する。これは、米国特許出願第１１／０３２３１０号（米国仮出願第６０／５７９９２１号、２００４年６月１４日出願）によりよく説明されている。
【００２１】
尿ダイバータの１実施例（上記の第２実施例）は、図２０−２７Ｂに示される。ここで、ダイバータ１７０は、円筒形の上部壁１１０の上に、図１に示されるように、配置され、説明したカートリッジと受容開口部１１４を保護のために覆っているが、頂面壁１１０の中心に位置していなく、或いは、その区域容積−決定の目的とは別の理由のために、垂直分離器１２０は、形成される。
【００２２】
図２、１１−１９に示されるような底部１０４は、パン１２６と上に延びている放出部分を有する。パンは、端部１３２で終わる周縁壁１３０を有する（図１１―１４、１６、１７、１９参照）。それは、図８Ａに最もよく現れるが、円筒壁１０６を有するタング−イン−溝の係合機構が、その低部開口部１０８で、頂面と底面の部分１０２と１０４の間で流体―封止の係合機構を作る。パン１２６の内部表面は、形状角度コーナーを防止するように、丸くされ、流体流れを高めるように、且つ、物質及びバクテリア或いは他の介在物が溜まらないように、円滑にされる。
【００２３】
上記の上に延びている放出部分１２８は、頂部分１０２の出口区域１２４に延びており、（図１１−１９参照）出口区域１０４に通じている管１３４を有し、パン１２６中の出口領域１３６で開いており、流体、例えば、排水流体１０３及び他の望ましくないものを出口区域からドレイン４２０（図５４）中に放出する。この放出部分は、出る尿を処理するための後処理化学薬剤を受け入れる対の円筒状室１３８を有する。それは、制御スチック２２４ａ或いは２２４ｂ中に含有されている。更に詳細には、上記の米国特許出願第１１／０３２３１０号に説明される。室１３８は、上に延びている放出部分１２８の最も上の部分でその端部の１つにおいて、壁１４０で閉じて、流体の流れが出口区域から出ることを防ぎ、他の端部１４２で開いている（例えば、図１２，１６，１８参照）。
【００２４】
図８Ａ、１６、１６Ａに示されたように、管１３４の中の、出口領域１３６に隣接した流れ管理器１４４は、制御スチック２２４ａ或いはペレット２２４ｂに衝撃を与えるための管室１３８の流れ方向端部１４２に流体を向けるように配置された角度を付けた部分を有する。そのような方向づけられた流体の流れは、図１１、１４−１６Ａに示されるように、中心部分１１２での壁開口部１１４、１１５の上に形成された垂直に延びる対のリブ１４５により、方向ずけら、尿の流れを開口部への周回路にする。従って、尿は、開口部と直接接触や入ることが防止される。ダイバータ１７０は、シェル１７２と所望により洗剤、又は衛生剤タブレット２１０とシェル１７２中にタブレットを保持するタブレットリテイナー２００（図２８−３３参照）を含む。ダイバータは、カートリッジ１００の上部壁１１０から少し離れており、尿の流れのためのきれいな通路を確保し、そして、カートリッジ上部壁から、リテイナー２００及びタブレット２１０をスペースをとる。図２４、２４Ａ―２４Ｃに詳細に示されるように、このようなスペースをとることは、スタンドオフ１８２の使用により得られ、シェル１７２から離れ、各々、大きな部分１８２ａと小さな部分１８２ｂを有する。部分１８２ｂは、出来るだけ小さく作られ、ダイバータとカートリッジとの接触を最小にし、そして、出来るだけ大きな妨害なしの流れ路を供する。
【００２５】
例えば、図２１、２７に示されたシェル１７２は、下向きでフランジ１８８に向かう周縁部１８６で終わり、中心開口部１９０を決める上部表面１８４を有する。上部表面１８４は、周縁部１８６に向かって下がるスロープであり、尿は周縁部に向かって流れ易くされる。内側に向いた凸部或いは突起部１９１が、スタンドオフ１８２の大きな部分１８２ａに隣接して、或いはその間に形成される−図２４Ｃ、２５、２６、２７、２７Ｂ参照。突起部は、円形でも、長いものでもよい（図２４Ｃ、２６、２６Ａ、２７、２７Ｂ）。
【００２６】
円筒形外皮体１９４（図２１、２２、２５、２５  、２６、２７、２７  参照）は、好適には、円筒形であるが、シェル１７２の下表面の１端部で固定され、その自由端では、固定機構１９８中で終わる。小さい直径で、少し円錐形である端部１９９は、自由端部で形成される。頂面カートリッジ上部壁１１０での開口部１１５（図６）内に適合する関係で形成されるようなサイズである。
【００２７】
図２８−３１を参照すると、タブレットリテイナー２００は、タブレット２１０を支持するため（図３２、３３参照）の開放構造キャップ２０２を有し、タブレットが、頂面部分１０２の頂面壁１１０上に凝結した尿に接するようになる。開放―構造のキャップは、外側リング様の部材、内部リング様部材、及び内部リング様部材と外側リング様の部材２０６と２０４を結合する複数のスポーク２０８を有する。シェル１７２のフランジ１８８上の外側リング様の部材２０６及び内部リング様部材の寸法は、外側リング様部材２０６がフランジ１８８内に適合するように調整され、凸部或いは突起部１９１にラッチ結合し、リテイナー２００とシェル１７２はラッチされ、その上に、タブレット２１０は図２０、２１に示される位置に配置され、カートリッジ頂面壁１１０の上に少しスペースをとる。
更に、タブレット２１０は、一般的にドーナッツ形状であり、内部リング様部材２０６の外側周縁部に適合するように配置された内部円筒形開口部２１２を有するドーナッツ形状である。
【００２８】
タブレット２１０の成分は、クエン酸、第４級アンモニウム及びトリコサンの処方を含み、この処方を結合する結合剤を含む。クエン酸は、（１）カートリッジ中のｐＨを５．５−３．０に調節し、含有成分が酸性になるようにし、シーラントを劣化するアルカリ性を防止し、（２）生物学的な成長を抑止し、（３）清浄化剤として、例えば、カートリッジ及びドレインパイプ内のスケール及び他の鉱物と錆びを除去する。結合剤、そこにある薬剤を保持し、放出できるようにするポリマー結合媒体は保持される。第４級アンモニウム塩は、陽イオン表面活性剤と結合し、沈殿物となる陰イオンを有する表面活性剤であると信じられる。回避すべき問題は、尿に使用される洗剤である陽イオン表面活性剤によるシーラントの破壊を抑制することである。Ｈｙａｍｉｎｅ１６２２（登録商標）のような陰イオン表面活性剤が有用であることと分かっているが、シーラントの破壊に対して作用することが要件である。Ｔｒｉｃｌｏｓａｎ（登録商標）は、ポリマーと結合して、シーラントをバクテリアから守ると設計されている。結合剤は、少し溶解性の材料、例えば、Ｎ、Ｎ―エチレンビスステアラミドから作成され、それは、水でゆっくりした耐性を有し、カートリッジの寿命くらいは少なくともある。
【００２９】
尿ダイバータの他の具体例は、図３４−４６に示される。ここでは、ダイバータ２７０は、図1に示されるダイバータ１７０の代わりに、円筒状上部壁１１０の頂点に配置でき、中心位置１１２にカートリッジ開口部１１４と１１５を保護して覆うものであり、尿の流れは開口部への周回路を供する。従って、尿は、開口部に直接接することや入ることが防止される。ダイバータ２７０は、シェル２７２、尿レベル検知器を有し、フロート２７４とシースルー保護キャップ２７６、所望により、洗剤、及び／衛生タブレット２１０及びタブレットをシェル中に保持するタブレットリテイナー２００（図２８−３３参照）を有する。ダイバータは、カートリッジ１００の上部壁１１０から少し離れて、尿の流れをきれいな流路とし、リテイナー２００とタブレット２１０をカートリッジ上部壁から離す。図３９，３９A、４０に示されるように、このようなスペースは、スタンドオフ２８２の使用により効果的になり、それは、シェル２７２と大きな部分２８２ａと小さい部分２８２ｂを有することに依存する。部分２８２ｂは、できるだけ小さく形成され、カートリッジとダイバータとの接触を最小にし、従って、最も大きな妨害のない流体流れ路を可能にするものである。
【００３０】
シェル２７２は、例えば、図４０、４０Ａに示されるように、下に下がるフランジ２８８との周縁部２８６で終わる上部表面２８４と中心開口部２９０を有する。上部表面２８４は、周縁部２８６に向かって下がる傾斜を有し、尿の流れは周縁部に向かい、開口部２９０から離れる。更に、リム２９２（図４０Ａ）は、開口部２９０を囲み、尿の流れを外側に押し、そして、特に、尿が入口開口部２９０に行くことを防止する。内側に向いたバンプ２９１は、スタンドオフ２８２の大きな部分２８２ａの上に形成される。
【００３１】
円筒形外皮体２９４（図３４、３６−４０参照）は、好適には円筒形であるが、開口部２９０の周りのシェル２７２の下表面に１端部２９６で固定されて、その第２端部にあるラッチ機構２９８で終わる。内側を向いた円形突起部３０２は、端部３００で終わる。第２端部も、突起部３０２を足３０３に区切り、ラッチ機構の結合を可能にする切断部分３０４に形成される。ラッチ機構２９８は、足３０３の端部で対の向かい合う歯３０６を有し、それは、カートリッジ１００にダイバータ２７０が固定させるために、カートリッジ頂面部分１０２のアーク形スロット１１４ａ、１１４ｂ、１１４ｃにラッチ噛み合う陽に配置される。
【００３２】
円筒形外皮体２９４の内部でシェル２７２の下表面に形成された凹部２９７（図４０）では、磁性材料のリング２９９が形成される（図３４参照）。
【００３３】
図４１−４３を参照すると、フロート２７４は、フロート２７４は、円筒体３１８を有し、それからステム３２０がその上部表面から延びる。その低部表面３２２は、凹形に形成され、その上に液が凹形表面上を流れ落ち、凝結しなく、液が蒸発した後に析出物が残る。複数のリブ３２４が、円筒体３１８の周り置かれ、凹形表面３２２の下にのびており、液が滴に回収され形成し、フロートから液を除去することを容易にする。リブ３２４は、三角形断面形であり、小さい表面を有する外側周縁形を形成し、集積し、円筒形表面になり、シェル−依存の円筒形外皮体２９４の内部表面内に緊密に適合するものである。従って、リブ３２４は、フロートを、シェル２７２の下表面とカートリッジ上部壁３０２との間に動かす。フロートは、円筒形外皮体２９４内に突起物３０２上に保持される（図３８参照）。フロートを外皮体内に挿入することは、その下部或いは第２端部３００の接着により、切断部分３０４の媒体により成される。フロート２７４は、好適には、容易に見えるように、透明になることができる材料から成形され、例えば、輝赤色又は蛍光色により、ステム３２０の頂面から成される。タブレットリテイナー２００を使用する場合、内部リング様の部材２０６内の通路により、フロートがカートリッジ１００の上部壁に凝結した尿と接触する。
【００３４】
トーラス形を持つ磁石３２６（図３４）が、ステム３２０の周りのフロート２７４に固定され、フロートが上に動くと、磁性ワッシャ２９９にラッチされ、それは、凹部２９７内のシェル２７２に固定され、フロートはシェル２９２に保持される。
【００３５】
図４４―４６に示されたような保護キャップ２７６は、マッシュルームと似た形状であり、大きくしたヘッド３３０及びそれから延びた比較的小さいステム３３２を有する。ステム３３２は、凹部であり、空洞３３４を形成し、シェル上部表面開口部２９０と通して延びたサイズであり、それにより、フロートステムを受ける。指示器３３６（図４６）は、空洞ステム３３２に隣接して、大きなヘッドの下に形成され、尿の流れを空洞ステム上にならないようにする。指示器３３６は、このように、シェル開口部２９０の周りに形成されたリム２９２の補助する働きをし、尿の流れを方向づけすることができる。保護キャップ２７６は、アクリル系プラスチックのような、綺麗で透明な材料から形成され、フロート２７４で見えるようにして、特に、そのステム３２０の頂点に形成される。
【００３６】
図４７−５１に示されるように、プラグ４１０は、出口領域１３６の一部の中に、底面部分１０４に付けて配置される（例えば、図２−５、７−９、１２、５２−５４参照）。プラグ４１０は、円筒形室１３８の端部１４２（例えば、図１２、１６参照）を開く封体として操作する。ピン４１２は、プラグ４１０の頂面側面から、延びており、キイ関係が開口部４１４内で係合するように配置され（図８Ａ、１７参照）、底面部分１０４で２つの部分が結合される。ピン４１２と開口部４１４の両方は、計測リブを有し、内部係合されると、円筒形室１３８に関して、プラグ４１０に方向ずけられる。プラグは、底部放出管区分１２８の円筒形室１３８の寸法と同じ寸法を有する対の円筒形開口部４１６に形成される。円筒形開口部４１６の１側面は、開口部４２０を持つ開放バスケット様ウイーブ４１８を供するように、形成される。後処理開放制御化学的薬剤の保持器を支持するように配置されたベース４２２は、スチック２２４ａ或いはペレット２２４ｂとして、形成される。それは、流体が、管１３４内に角度レッジ１４４とリブ１４５を有する２部分流れデレクターにより、方向づけられる開口部４２０中を通す。
【００３７】
対のそのような後処理放出制御スチック２２４ａ或いはペレット２２４ｂ（それらは、図５２と５３に示され、一般的には、図５４の指示２２４ａより同定され、円筒形室１３８内に配置される。ペレット２２４ｂは、各々、球形状であり、円筒形室１３８の内側壁に配置され、スチック２２４ａと内側壁との間の接触よりも少しの接触である。従って、流体がゆっくり後処理放出化学薬剤を腐食するので、下方により動きやすいので、好適な形状である。各々の後処理放出制御スチック或いはペレットは、クエン酸を含有し、所望により、第４アンモニウム塩、殺菌剤、洗剤を、時間―開放結合剤中に含有する。その使用は、第１に、きれいなドレインパイプにするためにスケール除去剤としてである。特に、カートリッジ使用パターンが、更なるスケール除去剤が必要である場合のような環境である。後―処理放出制御スチック或いはペレットは、単独或いは、前処理制御タブレット２１０と一緒に使用される。
【００３８】
説明した成分のすべてが一緒に組み立てられた場合、例えば、図１と３５に示されたようにカートリッジ１００を形成する。この組み立てたカートリッジは、水なし小便器４２６内に配置される。その一部は、図５５に示され、出口領域２２８を持つドレイン４２０と結合され、キイ１１６の方向ずけ機構を通して、供される。Ｏ―リングシール２２８が、頂面壁１１０の周縁部の凹部１１７内に配置される。
【００３９】
前処理制御タブレット４１０と後処理放出制御薬剤２２４ａ或いは２２４ｂを、本発明の不可欠の一部として説明すると、これらは、他の環境下では単独に使用できると理解されるべきである。同様に、本発明のカートリッジ１００は、タブレット２１０や薬剤２２４から離れて、他の手段を取ることができ、所望の抗―バクテリア、清浄化などの目的を得るために、他の手段を用いることができる。更に、タブレット及びスチック／ペレット薬剤の両方を、他の多数の薬剤とそして望ましい最終結果に依存した成分と構成することができる。また、ダイバータは、予備処理タブレットなしで単独で使用することができる。
【００４０】
本発明を、好適な具体例を参照して説明した。その変更例や変化例が、前記の詳細な説明を読み理解すれば、他のものについても可能である。すべてのそのような変更例や変化例を含むものとして、請求項の範囲内にある限り、そしてそれと同等である限り、本発明内のものとして構成されることを意図している。
【産業上の利用可能性】
【００４１】
本発明のダイバータ及びカートリッジは、上部壁と尿をカートリッジ中に尿を受け入れそして収容するための開口部を有する尿カートリッジに利用され、カートリッジの上部壁の設置可能なシェル；及び、該上部壁から該シェルを離し、尿が該カートリッジの上部壁開口部へ流れ込むようにするスペーサーを備えることにより、尿がカートリッジに直接接することを回避し、尿の凝結を防止することができる。
【図面の簡単な説明】
【００４２】
【図１】そこに配置された第１の小便器ダイバータの具体例を備え、その頂部に保持された、尿に有用なカートリッジの断面図である。
【図２】図１に示されたカートリッジ自体の展開斜視図である。
【図３】図１に示されたカートリッジ自体の上から見た斜視図である。
【図４】図１に示されたカートリッジ自体の底から見た斜視図である。
【図５】図１に示されたカートリッジ自体の側面図である。
【図６】図１に示されたカートリッジ自体の頂面図である。
【図７】図１に示されたカートリッジ自体の底面図である。
【図８】図５に示されたカートリッジの線８−８に沿った断面図であり、図８Ａは、図８の８Ａによるカートリッジの詳細断面図である。
【図９】図５に示されたカートリッジの線９−９に沿った断面図である。
【図１０】図７に示されたカートリッジの線１０−１０に沿った断面図である。
【図１１】図１−１０に示されたカートリッジ自体の上部側面の断面図である。
【図１２】図１−１０に示されたカートリッジ自体の下部側面の断面図である。
【図１３】図１１と１２に示されたカートリッジ自体の側面図である。
【図１４】図１１と１２に示されたカートリッジ自体の頂面図である。
【図１５】図１１と１２に示されたカートリッジ自体の底面図である。
【図１６】図１３に示された切断線１６−１６に沿ったカートリッジ底部の断面図である。図１６Ａは、図１６に示された切断線１６Ａによるカートリッジ底部の詳細な断面図である。
【図１７】図１６に示された線１７−１７に沿ったカートリッジ底部の断面図である。
【図１８】図１５の線１８−１８に沿ったカートリッジ底部の断面図である。
【図１９】図１５に示された線１９−１９に沿ったカートリッジ底部の断面図である。
【図２０】図１に示されたダイバータの第２実施例の斜視の底面図である。
【図２１】図２０に示された線２１−２１に沿ったダイバータ、タブレット及びリテイナーの断面図である。
【図２２】図２０に示されたダイバータの底側の斜視図である。
【図２３】図２２に示されたダイバータ自体の第２実施例の頂面図である。
【図２４】図２２に示されたダイバータ自体の第２実施例の側面図である。
【図２５】図２３に示された線２５−２５に沿ったダイバータの断面図である。図２５Aは、図２５に示された線２５Aに沿ったダイバータの詳細な断面図である。
【図２６】図２２に示されたダイバータ自体の底面図である。
【図２７】図２６に示された線２７−２７に沿ったダイバータの断面図である。図２７Aは、図２７に示された線２７Aに沿ったダイバータの詳細な断面図である。図２７Bは、図２７に示された線２７Bに沿ったダイバータの詳細な断面図である。
【図２８】図２０に示されたリテイナー自体の斜視図である。
【図２９】図２８に示されたリテイナー自体の頂面図である。
【図３０】図２８に示されたリテイナー自体の側面図である。
【図３１】図３０に示された線３１−３１に沿ったリテイナーの断面図である。
【図３２】図１、２０、２１に示された前処理タブレットの斜視図である。
【図３３】図３２に示された線３３−３３に沿った前処理タブレットの断面図である
【図３４】図１に示されたダイバータ、前処理装置及びリテイナーの具体例の斜視図である。
【図３５】図３４に示されたダイバータ、前処理装置及びリテイナーの具体例の頂面図である。
【図３６】図３４に示されたダイバータ、前処理装置及びリテイナーの具体例の底面図である。
【図３７】図３４に示されたダイバータ、前処理装置及びリテイナーの第1の具体例のチップ側の側面図である。
【図３８】図３７に示された線３８−３８に沿ったダイバータ、前処理装置及びリテイナーの断面図である。
【図３９】図１、３４に示されたダイバータ自体の第1具体例の側面図である。図３９Aは、図３９に示された切断線３９Aに沿ったダイバータの詳細な断面図である。
【図４０】図３９に示された線４０−４０に沿ったダイバータ自体の断面図であり、図４０Aは、図４０に示された切断線４０Aに沿ったダイバータの詳細な断面図である
【図４１】図１、３４に示されたダイバータ中に使用されたフロートの斜視図である。
【図４２】図４１に示されたフロートの側面図である。
【図４３】図４２に示された線４３−４３に沿ったフロートの断面図である。
【図４４】図１、３４に示されたダイバータ中に使用されたシースルーの保護キャップの斜視図である。
【図４５】図４４の保護キャップの側面図である。
【図４６】図４４の保護キャップの線４６−４６に沿った断面図である。
【図４７】図１−５、７−１０、５２−５４に示されたカートリッジの底部分にプラグが配置され得るようなプラグの頂面及び底面表面に向けて見たプラグの斜視図である。
【図４８】図１−５、７−１０、５２−５４に示されたカートリッジの底部分にプラグが配置され得るようなプラグの頂面及び底面表面に向けて見たプラグの斜視図である。
【図４９】図４７、４８に示されたプラグの側面図、底面図及び頂面図である。
【図５０】図４７、４８に示されたプラグの底面図である。
【図５１】図４７、４８に示されたプラグの頂面図である。
【図５２】図１に示されたカートリッジと同様な、スチック及び球体として担持する包装された後処理化学薬剤をつけたカートリッジの斜視図である。
【図５３】図１に示されたカートリッジと同様な、スチック及び球体として担持する包装された後処理化学薬剤をつけたカートリッジの斜視図である。
【図５４】ドレインパイプに結合した水なしの小便器の一部に設置されたカートリッジの斜視図である。
【図１】
2007518005.tif 000003
【図２】
2007518005.tif 000004
【図３】
2007518005.tif 000005
【図４】
2007518005.tif 000006
【図５】
2007518005.tif 000007
【図６】
2007518005.tif 000008
【図７】
2007518005.tif 000009
【図８】
2007518005.tif 000010
【図８Ａ】
2007518005.tif 000011
【図９】
2007518005.tif 000012
【図１０】
2007518005.tif 000013
【図１１】
2007518005.tif 000014
【図１２】
2007518005.tif 000015
【図１３】
2007518005.tif 000016
【図１４】
2007518005.tif 000017
【図１５】
2007518005.tif 000018
【図１５Ａ】
2007518005.tif 000019
【図１６】
2007518005.tif 000020
【図１６Ａ】
2007518005.tif 000021
【図１７】
2007518005.tif 000022
【図１８】
2007518005.tif 000023
【図１９】
2007518005.tif 000024
【図２０】
2007518005.tif 000025
【図２１】
2007518005.tif 000026
【図２２】
2007518005.tif 000027
【図２３】
2007518005.tif 000028
【図２４】
2007518005.tif 000029
【図２４Ａ】
2007518005.tif 000030
【図２４Ｂ】
2007518005.tif 000031
【図２４Ｃ】
2007518005.tif 000032
【図２５】
2007518005.tif 000033
【図２５Ａ】
2007518005.tif 000034
【図２６】
2007518005.tif 000035
【図２６Ａ】
2007518005.tif 000036
【図２７】
2007518005.tif 000037
【図２７Ａ】
2007518005.tif 000038
【図２７Ｂ】
2007518005.tif 000039
【図２８】
2007518005.tif 000040
【図２９】
2007518005.tif 000041
【図３０】
2007518005.tif 000042
【図３１】
2007518005.tif 000043
【図３２】
2007518005.tif 000044
【図３３】
2007518005.tif 000045
【図３５】
2007518005.tif 000046
【図３６】
2007518005.tif 000047
【図３７】
2007518005.tif 000048
【図３８】
2007518005.tif 000049
【図３９】
2007518005.tif 000050
【図４０】
2007518005.tif 000051
【図４０Ａ】
2007518005.tif 000052
【図４１】
2007518005.tif 000053
【図４１Ａ】
2007518005.tif 000054
【図４２】
2007518005.tif 000055
【図４３】
2007518005.tif 000056
【図４４】
2007518005.tif 000057
【図４５】
2007518005.tif 000058
【図４６】
2007518005.tif 000059
【図４７】
2007518005.tif 000060
【図４８】
2007518005.tif 000061
【図４９】
2007518005.tif 000062
【図５０】
2007518005.tif 000063
【図５１】
2007518005.tif 000064
【図５２】
2007518005.tif 000065
【図５３】
2007518005.tif 000066
【図５４】
2007518005.tif 000067
【図５５】
2007518005.tif 000068
【国際調査報告】
2007518005.tif 000069
2007518005.tif 000070
2007518005.tif 000071
2007518005.tif 000072